(57)【要約】【課題】長尺物を立てた状態または吊下げた状態で収納するとともに、壁面近傍において収納物を吊下げて収納することで、収納効率が高く無駄のない収納家具の収納構造を提供することを目的とする。【解決手段】  収納家具内部の床面積とほぼ同面積に形成され、かつ一部分に切欠部を構成する棚板を一枚または複数枚取付け、前記棚板を複数枚取付ける構造においては同一形状の切欠部が上下直線状に構成され、その垂直方向の空間を利用して長尺物を収納可能とし、天板裏面、左右側壁上部折曲部または最上段に載置する棚板裏面の縁部折曲部のいずれかにおいて複数のフック係止孔を設け、前記フック係止孔の任意位置にフックを取付け、収納物を前記フックに吊下げて収納可能とし、前記切欠部の上方位置にフックを取付可能とすることで、長尺物をフックに吊下げた状態で収納可能とする  【選択図】図２
2005218600.tif 000002
【特許請求の範囲】
【請求項１】
床面積の狭い収納家具における収納構造において、収納家具内部の床面積とほぼ同面積に形成され、かつ一部分に切欠部を構成する棚板を一枚または複数枚取付け、前記棚板を複数枚取付ける構造においては同一形状の切欠部が上下直線状に構成され、前記切欠部の垂直方向の空間を利用して長尺物を収納可能とすることを特徴とする収納家具の収納構造。
【請求項２】
収納家具内部において、天板裏面、左右側壁上部折曲部または最上段に載置する棚板裏面の縁部折曲部のいずれかにおいて複数のフック係止孔を設け、前記フック係止孔の任意位置にフックを取付け、収納物を前記フックに吊下げて収納可能とすることを特徴とする請求項１記載の収納家具の収納構造。
【請求項３】
複数の棚板を配置し同一形状の切欠部が上下直線状に構成される収納構造において、前記切欠部の上方位置にフックを取付可能とすることで、長尺物をフックに吊下げた状態で収納可能とすることを特徴とする請求項１または２記載の収納家具の収納構造。
【発明の詳細な説明】
【技術分野】
【０００１】
本発明は組立式の収納家具等に係るもので、特に床面積の狭い収納家具等において長尺物を立てた状態や収納物を吊下げた状態で収納可能とする収納構造に関するものである。
【背景技術】
【０００２】
従来、収納家具等において、長尺物を収納する技術に関しては棚板の奥行を短縮することで扉開口部の前方部に空間を形成し、その空間に長尺物を収納する構造が知られている。また、収納物を吊下げて収納する技術においては左右側壁前後部に設けた棚受金具取付孔にフック付属またはフック係止可能な横架部材を取付固定する構造や扉裏面に係止部材を設け収納物を収納する構造が一般的に知られている。
【０００３】
しかしながら、近年の住宅事情においては限られた収納空間をいかに最大限利用するかが重要な要素であり、床面積の狭い収納家具では棚板の段数を多くすることで収納率を上げることは可能であるが、そうすると棚板と棚板の間隔が小さくなり逆に長尺物が収納できなくなる。しかし、棚板の奥行を短縮する従来技術では長尺物の数量が少ない場合、前方部の空間においてデッドスペースが生じたり、棚板上にある収納物が外部からの衝撃で移動し不安定となったり、落下する恐れがあるため、収納効率および安全面において問題点が存在する。
一方、フック付属またはフックを係止可能な横架部材を取付ける構造は、部品点数の増加に伴うコストや手間を必要とする。
【発明の開示】
【発明が解決しようとする課題】
【０００４】
本発明は棚板に載置する収納物の収納量の減少を最小限にとどめながら、無駄なスペースを少なくして長尺物を立てた状態あるいは吊下げた状態で収納可能とする収納家具の収納構造を提供することを目的とする。
【課題を解決するための手段】
【０００５】
上記課題を解決するために請求項１は床面積の狭い収納家具における収納構造において、収納家具内部の床面積とほぼ同面積に形成され、かつ一部分に切欠部を構成する棚板を一枚または複数枚取付け、前記棚板を複数枚取付ける構造においては同一形状の切欠部を上下直線状に構成した。このように構成することにより前記切欠部の垂直方向の空間を利用して長尺物を立て掛けて収納可能とした。
【０００６】
請求項２では収納家具内部において、天板裏面、左右側壁上部折曲部または最上段に載置する棚板裏面の縁部折曲部のいずれかにおいて複数のフック係止孔を設け、前記フック係止孔の任意位置にフックを取付けた。このように構成することにより吊下げが可能な小物を前記フックに吊下げて収納家具内壁に沿って収納整理可能とする構造とした。
【０００７】
請求項３においては、複数の棚板を配置し同一形状の切欠部が上下直線状に構成される収納構造において、前記切欠部の上方位置にフックを取付可能とすることで、長尺物をフックに吊下げた状態で収納可能とした。
【発明の効果】
【０００８】
収納家具内部の床面積とほぼ同面積に形成される棚板の一部分を切り欠いた切欠部を構成する棚板を取付けることにより、切欠部の垂直方向の空間にスキー板や釣竿等の長尺物を立て掛けて収納することができる。また、従来の奥行あるいは横幅を短縮した棚板と比較して、無駄な空間がなく収納効率を向上させるとともに外部からの衝撃で収納物が移動しても不安定とならず、落下する恐れもない。フックを天板裏面、左右側壁上部折曲部または最上段に載置する棚板裏面の縁部折曲部のいずれかにおいて取付けることで、折畳み傘や袋等の吊下げ可能な小物を家具内部の上部壁際に収納することができ、収納物の上部あるいは左右側壁近傍におけるデッドスペースを効率良く利用して、収納有効空間を最大限に活用することができる。
【０００９】
また、前記切欠部とフックを利用することにより、収納に際し不安定となるほうきやモップ等の長尺物をフックに吊下げた状態で収納できるため、収納効率と安全性の向上を図ることができる。
【発明を実施するための最良の形態】
【００１０】
以下、発明の実施の形態を図面を参照して説明する。図１は本発明の一実施例に係る収納構造を示した斜視図であり、図２は一実施例における棚板の取付構造を示した展開斜視図、図３はフック取付可能な棚板を下部から見た斜視図、図４はフック取付可能な棚板の切断断面図、図５は別の実施形態を示した斜視図、図６は別の実施形態の収納構造を示した展開斜視図である。棚板を取付けていない状態において、収納家具１は天板２、床３、左右一対の側壁４、４、後壁５、扉６で構成される。
【実施例１】
【００１１】
図１で示すように、収納家具１内部にはその収納量を最大とするために床３とほぼ同じ大きさの面積のフック１１を取付可能な棚板７と切欠部８１を構成した棚板８を取付けることができ、棚板７裏面部においてフック１１に収納物を吊下げて収納することができるとともに、棚板８を複数枚取付ける構造において切欠部８１が上下直線状に同一位置に形成され、その垂直方向の収納空間を利用して長尺物を立てた状態で収納できる。切欠部８１の位置および大きさは特に限定するものではないが、収納効率を考慮すると側壁４近傍に構成されることが望ましい。
【００１２】
棚板７および８の取付構造は図２で示すように、左右一対の側壁４、４の内側前後部において等間隔かつ垂直方向に設けられる多数の棚受金具係止孔１０の任意位置に棚受金具９を側壁４と平行方向に係止した後に棚板７または棚板８を取付ける。
【００１３】
図３および図４はフック１１を取付可能とする棚板７におけるフック取付を示す図であり、フック１１は棚板７の裏面折曲部に形成された複数のフック係止孔１２の任意位置に取付けることができる。フック係止孔１２の位置は天板２裏面、左右一対の側壁４、４の上部折曲部または最上段に載置する棚板７裏面等、特に限定するものではない。
【００１４】
図５および図６は別の実施例の斜視図であり、棚受金具９１は棚板８が外周部に切欠部８２を構成している場合、前実施例と同様に棚受金具９を取付けると不安定となるので、それを防止するために棚受金具係止孔１０の前後部を横架するよう細長い形状となっている。また、棚受金具係止孔１０は図２とは異なり、棚受金具９および９１が側壁４に直角方向に係止される位置に構成される。
【産業上の利用可能性】
【００１５】
本発明は収納物を吊下げて収納できるとともに、長尺物を立てた状態または吊下げた状態で収納可能とすることで収納効率の向上および収納空間の無駄をなくし、収納家具の収納空間を最大限有効活用できるものであるから、比較的床面積が狭くて背が高い収納家具においてその利用性が高い。
【図面の簡単な説明】
【００１６】
【図１】本発明の一実施例に係る収納構造を示した斜視図
【図２】棚板の取付構造を示した展開斜視図
【図３】フック取付可能な棚板を下部から見た斜視図
【図４】フック取付可能な棚板の切断断面図
【図５】本発明の別の実施例を示した斜視図
【図６】別の実施例の展開斜視図
【符号の説明】
【００１７】
１…収納庫
７・８…棚板
８１・８２…切欠部
９・９１…棚受金具
１０…棚受金具係止孔
１１…フック
【図１】
2005218600.tif 000003
【図２】
2005218600.tif 000004
【図３】
2005218600.tif 000005
【図４】
2005218600.tif 000006
【図５】
2005218600.tif 000007
【図６】
2005218600.tif 000008